(57)【要約】【課題】血圧情報測定装置用カフを大型化した場合であっても、精度良く血圧の圧力変化を測定することが可能な血圧情報測定装置用カフおよびこれを備えた血圧情報測定装置を提供する。【解決手段】袋状カバー体１６６の巻き付き領域Ｒ２において、第２外布１６６ｂと第２内布１６６ｅとの間の摩擦係数を、摩擦低減シート１７１を介在させることにより低減させている。【選択図】図７
2011136108.tif 000002
【特許請求の範囲】
【請求項１】
被測定部位を圧迫するための流体袋と、
前記流体袋を収容し、前記流体袋を被測定部位に装着するため、被測定部位に巻きつけられる帯状形態の袋状カバー体と、を備え、
前記袋状カバー体は、外布と内布とを含み、
前記袋状カバー体は、一方端側には前記流体袋を収容する流体袋収容領域を有し、他方端側には被測定部位に巻きつけられた状態において、前記流体袋収容領域に覆い被さる巻き付き領域を有し、
前記巻き付き領域において、前記外布と前記内布との間には、前記外布と前記内布との間の摩擦を低減させる摩擦低減部材が設けられる、血圧情報測定装置用カフ。
【請求項２】
前記摩擦低減部材は、前記外布と前記内布との間の摩擦係数に比較して、前記外布との摩擦係数が小さくなるシート状部材である、請求項１に記載の血圧情報測定装置用カフ。
【請求項３】
前記摩擦低減部材は、前記外布と前記内布との間の摩擦係数に比較して、前記内布との摩擦係数が小さくなるシート状部材である、請求項１に記載の血圧情報測定装置用カフ。
【請求項４】
請求項１から３のいずれかに記載の血圧情報測定装置用カフと、
前記流体袋を膨縮させる膨縮機構と、
血圧情報を取得する血圧情報取得部と、を備えた、
血圧情報測定装置。
【発明の詳細な説明】
【技術分野】
【０００１】
本発明は、血圧値等の血圧情報を測定する際に被測定部位に装着されて使用される血圧情報測定装置用カフ、およびこれを備えた血圧情報測定装置に関する。
【背景技術】
【０００２】
血圧情報測定装置は、被験者の血圧情報を取得する。血圧情報測定装置が取得する血圧情報には、収縮期血圧値（最高血圧値）、拡張期血圧値（最低血圧値）、平均血圧値、被験者の脈波、脈拍、ＡＩ（Augmentation Index）値等、循環器系の種々の情報などが含まれる。これらの血圧情報に基づき、心臓の負荷、または動脈硬さの変化などを把握することができる。血圧情報測定装置は、循環器系の疾患の早期発見、予防または治療などのために使用されている。
【０００３】
一般に、血圧情報の測定には、血圧情報測定装置用カフ（以下、単にカフとも称する）が使用される。カフは、内腔を有する帯状の袋状カバー体を有し、生体（動脈）を圧迫するための流体袋を袋状カバー体の内部に内包している。カフは、上腕などの生体の一部に巻き付けられる。
【０００４】
収縮期血圧値または拡張期血圧値などの血圧値を測定するための血圧情報測定装置（以下、単に血圧計とも称する）においては、カフが生体の一部の体表面に巻き付けられる。カフに内包される流体袋に、気体や液体等の流体が注入または排出される。流体袋に流体が注入されることにより、流体袋は膨張する。流体袋から流体が排出されることにより、流体袋は収縮する。流体袋が膨張または収縮するときに発生する流体袋の内圧の変化が、動脈圧脈波または血圧値として取得される。
【０００５】
一般的に、非観血血圧測定法による血圧測定を行なう場合には、上腕にカフを巻き付けて、血液の流れを阻止するようにカフ内の空気圧を高め、動脈を圧迫する。このとき、空気袋と袋状カバー体その他の内包物との摩擦が生ずることによる締め付け具合の調節や、測定中にカフの締め付けを緩ませないこと、空気袋の中心位置を動脈の直上にあわせることが重要である。
【０００６】
オシロメトリック法のように動脈の容量変化を空気袋で検出し、空気袋内の容量変化を圧力として変換することにより、駆動本体内部の圧力センサへ演算処理し血圧算出する血圧計としては、下記の特許文献１および２が挙げられる。
【０００７】
ここで、近年では、日本人の体型の大型化や、海外での使用を考慮して、大型の体型を有する被験者でも血圧測定が可能なように、カフを大型化する研究が進められているが、血圧の測定時にノイズを含む血圧の圧力変化の発生が問題となってきている。
【先行技術文献】
【特許文献】
【０００８】
【特許文献１】国際公開第０７／１４８６６１号パンフレット
【特許文献２】特開平０７−１２４１２７号公報
【発明の概要】
【発明が解決しようとする課題】
【０００９】
この発明が解決しようとする課題は、血圧情報測定装置用カフを大型化した場合に、血圧の測定時にノイズを含む血圧の圧力変化が発生する点にある。したがって、この発明の目的は、血圧情報測定装置用カフを大型化した場合であっても、精度良く血圧の圧力変化を測定することが可能な血圧情報測定装置用カフおよびこれを備えた血圧情報測定装置を提供することにある。
【課題を解決するための手段】
【００１０】
本発明に基づく血圧情報測定装置用カフは、被測定部位を圧迫するための流体袋と、上記流体袋を収容し、上記流体袋を被測定部位に装着するため、被測定部位に巻きつけられる帯状形態の袋状カバー体とを備え、上記袋状カバー体は、外布と内布を含み、上記袋状カバー体は、一方端側には上記流体袋を収容する流体袋収容領域を有し、他方端側には被測定部位に巻きつけられた状態において、上記流体袋収容領域に覆い被さる巻き付き領域を有し、上記巻き付き領域において、上記外布と上記内布との間には、上記外布と上記内布との間の摩擦を低減させる摩擦低減部材が設けられる。
【００１１】
上記発明の他の形態に基づく血圧情報測定装置用カフは、上記摩擦低減部材は、上記外布と上記内布との間の摩擦係数に比較して、上記外布との摩擦係数が小さくなるシート状部材である。
【００１２】
上記発明の他の形態に基づく血圧情報測定装置用カフは、上記摩擦低減部材は、上記外布と上記内布との間の摩擦係数に比較して、上記内布との摩擦係数が小さくなるシート状部材である。
【００１３】
本発明に基づく血圧情報測定装置は、上記のいずれかに記載の血圧情報測定装置用カフと、上記流体袋を膨縮させる膨縮機構と、血圧情報を取得する血圧情報取得部とを備える。
【発明の効果】
【００１４】
本発明によれば、血圧情報測定装置用カフを大型化した場合であっても、精度良く血圧の圧力変化を測定することが可能な血圧情報測定装置用カフおよびこれを備えた血圧情報測定装置を提供する。
【図面の簡単な説明】
【００１５】
【図１】実施の形態における血圧計の全体構成を示す図である。
【図２】実施の形態における血圧計の構成を示す機能ブロック図である。
【図３】実施の形態における血圧計の血圧測定処理の流れを示すフローチャートである。
【図４】血圧計用カフの課題を説明するための、時間と測定圧力との関係を示す図である。
【図５】血圧計用カフの課題を説明するための拡大断面図である。
【図６】実施の形態におけるカフの展開平面図である。
【図７】図６中のＶＩＩ−ＶＩＩ線矢視断面図である。
【発明を実施するための形態】
【００１６】
本発明に基づいた実施の形態における血圧情報測定装置用カフおよびこれを備えた血圧情報測定装置について、以下、図面を参照しながら説明する。
【００１７】
以下の実施の形態においては、血圧情報測定装置用カフの一例として、上腕に巻き付けられて使用される血圧計用カフについて説明する。血圧情報測定装置用カフを備えた血圧情報測定装置の一例として、上記血圧計用カフを用いて収縮期血圧値および拡張期血圧値等の血圧値を測定可能とした血圧計について説明する。
【００１８】
以下の各実施の形態においては、個数、量などに言及する場合、特に記載がある場合を除き、本発明の範囲は必ずしもその個数、量などに限定されない。以下に説明する各実施の形態において、同一の部品、相当部品に対しては、同一の参照番号を付し、重複する説明は繰り返さない場合がある。
【００１９】
まず、図１から図３を参照して、本実施の形態における血圧計１００について説明する。なお、図１は血圧計１００の全体構成を示す図、図２は血圧計１００の構成を示す機能ブロック図、図３は血圧計１００の血圧測定処理の流れを示すフローチャートである。
【００２０】
図１を参照して、血圧計１００は、装置本体１１０と、血圧計用カフ１５０とを有する。血圧計１００は、血圧計用カフ１５０が被験者の上腕に装着される上腕式血圧計である。
【００２１】
装置本体１１０と血圧計用カフ１５０とは、分離して設けられており、血圧測定時において、装置本体１１０は机などの載置面に載置されて使用される。装置本体１１０と血圧計用カフ１５０とは、血圧計用カフ１５０に設けられたエア接続口１４６に接続管１４０が接続される。
【００２２】
装置本体１１０には、表示部１２２および操作部１２４が設けられている。表示部１２２は、血圧値の測定結果や脈拍数の測定結果等を、数値やグラフなどを用いて視認可能に表示する。この表示部１２２としては、たとえば液晶パネル等が利用される。操作部１２４には、たとえば、電源ボタンや測定開始ボタン、血圧計用カフ１５０の使用者に関する情報を入力するための入力ボタンなどの各種ボタンが設けられている。
【００２３】
血圧計用カフ１５０は、帯形状の外観を有し、被験者の上腕の周囲に巻き付けられる。血圧計用カフ１５０は、上腕を圧迫するための空気袋１６１と、空気袋１６１を上腕に巻き付けて装着するための袋状カバー体１６６とを有する。空気袋１６１は、袋状カバー体１６６の内部に設けられた空間に収容されている。
【００２４】
図２は、図１中の血圧計の構成を示す機能ブロック図である。図１および図２を参照して、装置本体１１０の内部には、血圧計用カフ１５０に内包された空気袋１６１に空気を供給または排出するための血圧測定用エア系コンポーネント１３１が設けられている。
【００２５】
血圧測定用エア系コンポーネント１３１は、空気袋１６１内の圧力を検出する圧力検出手段である圧力センサ１３２と、空気袋１６１を膨縮させるための膨縮機構部１３３であるポンプ１３４および弁１３５とを有する。装置本体１１０の内部には、血圧測定用エア系コンポーネント１３１に関連して発振回路１３６、ポンプ駆動回路１３７および弁駆動回路１３８が設けられている。
【００２６】
装置本体１１０には、各部を集中的に制御および監視するためのＣＰＵ（Central Processing Unit）１２１と、ＣＰＵ１２１に所定の動作をさせるプログラムや測定された血圧値などの各種情報を記憶するためのメモリ部１２３と、血圧測定結果を含む各種情報を表示するための表示部１２２と、測定のための各種指示を入力するために操作される操作部１２４とが設けられている。ＣＰＵ１２１は、血圧値を算出するための血圧値算出手段としても機能する。
【００２７】
圧力センサ１３２は、空気袋１６１内の圧力（以下、「カフ圧」という）を検出し、検出した圧力に応じた信号を発振回路１３６に出力する。ポンプ１３４は、空気袋１６１に空気を供給する。弁１３５は、空気袋１６１内の圧力を維持したり、空気袋１６１内の空気を排出したりする際に開閉する。発振回路１３６は、圧力センサ１３２の出力値に応じた発振周波数の信号をＣＰＵ１２１に出力する。ポンプ駆動回路１３７は、ポンプ１３４の駆動をＣＰＵ１２１から与えられる制御信号に基づいて制御する。弁駆動回路１３８は、弁１３５の開閉制御をＣＰＵ１２１から与えられる制御信号に基づいて行なう。
【００２８】
次に、図３を参照して、血圧計１００における血圧測定処理の流れについて説明する。このフローチャートに従うプログラムは、図２において示したメモリ部１２３に予め記憶されており、ＣＰＵ１２１がメモリ部１２３からこのプログラムを読出して実行することにより、血圧測定処理が実施される。
【００２９】
図２および図３を参照して、被験者が血圧計１００の操作部１２４の操作ボタンを操作して電源をオンにすると血圧計１００の初期化がなされる（ステップＳ１）。次に、測定可能状態になると、ＣＰＵ１２１はポンプ１３４の駆動を開始し、空気袋１６１のカフ圧を徐々に上昇させる（ステップＳ２）。カフ圧を徐々に加圧する過程において、カフ圧が血圧測定のために必要な所定のレベルにまで達すると、ＣＰＵ１２１はポンプ１３４を停止し、次いで閉じていた弁１３５を徐々に開いて空気袋１６１の空気を徐々に排気し、カフ圧を徐々に減圧させ（ステップＳ３）、このカフ圧の微速減圧過程においてカフ圧の検出が行なわれる。
【００３０】
次に、ＣＰＵ１２１は公知の手順で収縮期血圧値（最高血圧値）および拡張期血圧値（最低血圧値）を算出する（ステップＳ４）。具体的には、カフ圧が徐々に減圧する過程において、ＣＰＵ１２１は発振回路１３６から得られる発振周波数に基づき脈波情報を抽出する。そして、抽出された脈波情報により血圧値を算出する。ステップＳ４において血圧値が算出されると、算出された血圧値を表示部１２２に表示する（ステップＳ５）。
【００３１】
なお、以上において説明した測定方式は、空気袋の減圧時に脈波を検出して血圧値を算出するいわゆる減圧測定方式に基づいたものであるが、空気袋の加圧時に脈波を検出して血圧値を算出するいわゆる加圧測定方式を採用することも当然に可能である。
【００３２】
ここで、発明者らが血圧計用カフ１５０を大型化する研究を進める中で、血圧の測定時にノイズを含む血圧の圧力変化の発生が問題となることを知見した。図４に示すように、上記のステップＳ４において説明した、収縮期血圧値（最高血圧値）の測定時においては、正常であればａ１のラインとなるべきところ、ｂ１に示すようにノイズを含む血圧値が測定された。同様に、拡張期血圧値（最低血圧値）の測定時においても、正常であればａ２のラインとなるべきところ、ｂ２に示すようにノイズを含む血圧値が測定された。
【００３３】
そこで、これらのノイズの発生源が何処にあるかについて発明者らが鋭意研究した結果、通常であれば、ノイズの発生源として考えられるのは空気袋１６１の周辺であるにもかかわらず、ノイズの発生源が、空気袋１６１が設けられていない領域での袋状カバー体１６６においてノイズが発生していることを解明した。
【００３４】
図５に示すように、袋状カバー体１６６は、被験者の上腕側に位置する内布１６６ｅと、外側に位置する外布１６６ｂとの二重構造を有し、被験者の上腕に装着される際には、外布１６６ｂの外面に設けられた面ファスナ１９２に内布１６６ｅの表面が係合することで、血圧計用カフ１５０が被験者の上腕に固定される。
【００３５】
収縮期血圧値（最高血圧値）の測定時および拡張期血圧値（最低血圧値）の測定時には、面ファスナ１９２と袋状カバー体１６６との間に大きな力が発生するが、面ファスナ１９２に直接係合する内布１６６ｅと面ファスナ１９２に直接係合しない外布１６６ｂとの間には異なる方向に力が作用するため、内布１６６ｅと外布１６６ｂとの摩擦力により、内布１６６ｅと外布１６６ｂとの間に間欠的な移動が生じることがわかった。これが、図４に示す、収縮期血圧値（最高血圧値）および拡張期血圧値（最低血圧値）の測定時におけるノイズの原因である。
【００３６】
このようなノイズの発生は、袋状カバー体１６６が長手方向に大型化されたことにより、内布１６６ｅと外布１６６ｂとを熱溶着する距離が長くなったために生じるものと考えられる。したがって、このノイズの低減には、内布１６６ｅと外布１６６ｂとの熱溶着箇所を増やすことが考えられる。
【００３７】
しかし、熱溶着箇所を増加させた場合には、血圧計用カフ１５０のデザインが大きく損なわれる問題が生じる。また、熱溶着時のエネルギの増加、熱溶着のための金型の複雑化により、製造コストの上昇を招くことが懸念される。
【００３８】
そこで、発明者らは、鋭意研究の結果、内布１６６ｅと外布１６６ｂとの熱溶着箇所を増やすことなく、内布１６６ｅと外布１６６ｂとの間の間欠的な移動を抑制するが可能な構成を備える血圧計用カフを完成させた。その構成を備える血圧計用カフ１５０を、以下図６および図７を参照して説明する。なお、図６および図７に示す血圧計用カフ１５０は展開した状態を示す図である。
【００３９】
この血圧計用カフ１５０は、被験者の上腕を圧迫するための空気袋１６１と、この空気袋１６１を収容しながら被験者の上腕に空気袋１６１を装着するため、被験者の上腕に巻きつけられる帯状形態の袋状カバー体１６６とを備えている。
【００４０】
袋状カバー体１６６は、一方端側には空気袋１６１を収容する流体袋収容領域Ｒ１を有し、他方端側には被験者の上腕に巻きつけられた状態において、流体袋収容領域Ｒ１に覆い被さる巻き付き領域Ｒ２を有している。
【００４１】
袋状カバー体１６６は、流体袋収容領域Ｒ１において、第１外布１６６ａおよび第１内布１６６ｃを有し、巻き付き領域Ｒ２において、第２外布１６６ｂおよび第２内布１６６ｅを有している。
【００４２】
第１外布１６６ａ、第２外布１６６ｂ、第１内布１６６ｃ、および第２内布１６６ｅには、好適にはポリアミド（ＰＡ）、ポリエステル等の合成繊維からなる布地によって形成されている。なお、第１内布１６６ｃ、および第２内布１６６ｅは、好適には伸縮性に優れた部材にて構成され、第１外布１６６ａ、第２外布１６６ｂは、好適には内布よりも伸縮性に乏しい部材にて構成される。
【００４３】
第１外布１６６ａの外面には、袋状カバー体１６６の巻き付き領域Ｒ２が被験者の上腕に巻き付けられた状態において、巻き付き領域Ｒ２の第２内布１６６ｅが係合するための面ファスナ１９２が設けられている。
【００４４】
袋状カバー体１６６の流体袋収容領域Ｒ１においては、第１内部シート１６６ｆ、カーラ１９１、第２内部シート１６６ｄ、および空気袋１６１が、第１外布１６６ａと第１内布１６６ｃとの間に挟みこまれるように収容されている。
【００４５】
第１内部シート１６６ｆには、ポリエステル素材が用いられている。第２内部シート１６６ｄには、ポリ塩化ビニルフィルムが用いられている。
【００４６】
カーラ１９１は、空気袋１６１を上腕に向けて付勢するための湾曲弾性板である。カーラ１９１を展開した状態においては帯形状を有する。カーラ１９１は、上腕にフィットするように、上腕の軸方向に延びる円筒形状に形成されており、環状に巻き回されることによって径方向に弾性変形可能に構成された可撓性の部材からなる。カーラ１９１は、十分な弾性力を発現するように、たとえばポリプロピレン（ＰＰ）等の樹脂部材にて形成されている。
【００４７】
空気袋１６１を形成する樹脂シートの材質としては、伸縮性に富んだ材料が用いられ、樹脂シートの好適な材質としては、エチレン−酢酸ビニール共重合体（ＥＶＡ）、軟質塩化ビニル（ＰＶＣ）、ポリウレタン（ＰＵ）、ポリアミド（ＰＡ）、生ゴム等が挙げられる。
【００４８】
第１外布１６６ａ、第２外布１６６ｂ、第１内布１６６ｃ、第２内布１６６ｅ、第１内部シート１６６ｆ、および第２内部シート１６６ｄは、図７に示すＢの箇所において結合される。袋状カバー体１６６の周囲は、縁取り布を用いてバイアス編に縫製される。
【００４９】
また、巻き付き領域Ｒ２においては、第２外布１６６ｂと第２内布１６６ｅとの間に、摩擦低減部材として摩擦低減シート１７１が設けられている。
【００５０】
摩擦低減シート１７１の機能としては、摩擦低減シート１７１を設けない場合の第２外布１６６ｂと第２内布１６６ｅとの間の摩擦係数をＦ１とした場合、第２外布１６６ｂと摩擦低減シート１７１との間の摩擦係数Ｆ２を、Ｆ１よりも小さくする（Ｆ１＞Ｆ２）、または、第２内布１６６ｅと摩擦低減シート１７１との間の摩擦係数Ｆ３を、Ｆ１よりも小さくする（Ｆ１＞Ｆ３）ものである。
【００５１】
第２外布１６６ｂと摩擦低減シート１７１との間の摩擦係数Ｆ２、および第２内布１６６ｅと摩擦低減シート１７１との間の摩擦係数Ｆ３が、同時に摩擦低減シート１７１を設けない場合の第２外布１６６ｂと第２内布１６６ｅとの間の摩擦係数Ｆ１より小さくなってもかまわない。
【００５２】
摩擦低減シート１７１としては、繊維、不織布、フィルム等が用いられ、具体的な材料としては、ナイロン、ポリエステル、アクリル、ポリプロピレン、ポリ塩化ビニル、フッ素樹脂等が挙げられる。巻き付き領域Ｒ２においては、第２外布１６６ｂ、摩擦低減シート１７１、および第２内布１６６ｅは熱溶着により固定される。図６および図７中において、熱溶着箇所を、熱溶着部１６６ｈとして示す。
【００５３】
（作用・効果）
このように、本実施の形態おける血圧計用カフ１５０およびこれを備えた血圧計１００によれば、袋状カバー体１６６の巻き付き領域Ｒ２において、第２外布１６６ｂと第２内布１６６ｅとの間の摩擦係数を、摩擦低減部材を介在させることにより低減させている。
【００５４】
これにより、血圧計１００を用いた、縮期血圧値（最高血圧値）および拡張期血圧値（最低血圧値）の測定時における第２外布１６６ｂと第２内布１６６ｅとの間の間欠的な移動を抑制するが可能となる。
【００５５】
その結果、血圧値の測定時におけるノイズの発生が抑制され、血圧計用カフを大型化した場合であっても、精度良く血圧の圧力変化を測定することが可能な血圧計用カフおよびこれを備えた血圧計を提供することが可能となる。
【００５６】
また、従来と同様の製造工程により血圧計用カフを完成させることが可能であるため、熱溶着時のエネルギの増加、熱溶着のための金型の複雑化により、製造コストの上昇を招くこともない。
【００５７】
なお、摩擦低減部材としてシート状部材を採用した場合について説明しているが、シート状部材に限らず、第２外布１６６ｂと第２内布１６６ｅとの間の摩擦係数を小さくする目的から、オイル、粉末を配置する構成を採用することも可能である。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１００  血圧計、１１０  装置本体、１２１  ＣＰＵ（Central Processing Unit）、１２２  表示部、１２３  メモリ部、１２４  操作部、１３１  血圧測定用エア系コンポーネント、１３２  圧力センサ、１３３  膨縮機構部、１３４  ポンプ、１３５  弁、１３６  発振回路、１３７  ポンプ駆動回路、１３８  弁駆動回路、１４０  接続管、１４６  エア接続口、１５０  血圧計用カフ、１６１  空気袋、１６６  袋状カバー体、１６６  袋状カバー体、１６６ａ  第１外布、１６６ｂ  第２外布、１６６ｃ  第１内布、１６６ｄ  第２内部シート、１６６ｅ  第２内布、１６６ｆ  第１内部シート、１７１  摩擦低減シート、１９２  面ファスナ、１９１  カーラ、Ｒ１  流体袋収容領域、Ｒ２  巻き付き領域。
【図１】
2011136108.tif 000003
【図２】
2011136108.tif 000004
【図３】
2011136108.tif 000005
【図４】
2011136108.tif 000006
【図５】
2011136108.tif 000007
【図６】
2011136108.tif 000008
【図７】
2011136108.tif 000009